(57)【要約】【課題】光利用効率が高い導光板、複数の照明領域を備えた照明装置、この照明装置を用いた電気光学装置及び電子機器を提供することを目的とする。【解決手段】導光板１２は、隣り合う第１の照明領域１２１と第２の照明領域１２２とを有し、第１の照明領域１２１と第２の照明領域１２２との間に第１の照明領域１２１側に位置した鏡面を有する側面１２３ａを備えたスリット部１２３を有する。【選択図】　図６
2004071223.tif 000002
【特許請求の範囲】
【請求項１】
隣り合う第１の照明領域と第２の照明領域とを有する導光板であって、
前記導光板は、前記第１の照明領域と前記第２の照明領域との隣り合う部分に沿って延びた前記第１の照明領域側に位置した鏡面を有する側面を備えた穴を具備することを特徴とする導光板。
【請求項２】
隣り合う第１の照明領域と第２の照明領域とを有する導光板であって、
前記導光板は、前記第１の照明領域と前記第２の照明領域との隣り合う部分に沿って延びた溝を具備することを特徴とする導光板。
【請求項３】
前記溝は、前記第１の照明領域側に位置した鏡面を有する側面を備えた溝を具備することを特徴とする請求項２記載の導光板。
【請求項４】
前記導光板は、第１部材と、前記第１の照明領域の外周部のうち前記穴または溝が位置する部分を除く部分に沿って配置された前記第１部材よりも反射率の高い第２部材とからなることを特徴とする請求項１から請求項３いずれか一項に記載の導光板。
【請求項５】
前記第１の照明領域の導光板へ、前記第１の照明領域と前記第２の照明領域との間に配置される光源からの光が入射されることを特徴とする請求項１から請求項４いずれか一項に記載の導光板。
【請求項６】
請求項１から請求項６いずれか一項に記載の導光板と、
前記導光板の前記第１の照明領域に光を入射する光源部と
を有する照明装置。
【請求項７】
前記光源部は、前記第１の照明領域と前記第２の照明領域との間に設けられていることを特徴とする請求項６記載の照明装置。
【請求項８】
請求項６または請求項７記載の照明装置と、
前記第１の照明領域に対応して配置された前記光源からの光によって所定の表示を行う電気光学パネルと、
を具備することを特徴とする電気光学装置。
【請求項９】
請求項８記載の電気光学装置と、
前記第２の照明領域に対応して配置された複数のキーボタンと
を具備することを特徴とする電子機器。
【請求項１０】
前記電子機器は携帯電話機であることを特徴とする請求項８記載の電子機器。
【請求項１１】
請求項８記載の電気光学装置と、
前記第２の照明領域に対応して配置されたパネルと
を具備することを特徴とする電子機器。
【請求項１２】
前記パネルは、入力用パネルであることを特徴とする請求項１１記載の電子機器。
【発明の詳細な説明】
【０００１】
【発明の属する技術分野】
本発明は、導光板、複数の照明領域を備えた照明装置、この照明装置を用いた電気光学装置及び電子機器に関するものである。
【０００２】
【従来の技術】
携帯電話機などの電子機器では、内部に構成した照明装置によって、液晶装置にバックライト光を照射するとともに、キーボタンを内部から照明するように構成されている。
【０００３】
このような電子機器は、従来、例えば、以下に説明するように構成される。
【０００４】
図１４において、従来の携帯電話機１は、下ケース６、回路基板７、照明装置１０、光拡散シート８、液晶装置４００、及び上ケース９がこの順に重ねられた構成になっている。ここで、照明装置１０は、光源１１、透明なプラスチック成形品などからなる導光板１２００、プラスチック成形品などからなる第１の反射材１５、およびシート状の第２の反射材１７から構成されている。
【０００５】
導光板１２００には、液晶装置４００が配置される液晶装置４００の表示領域に対応する第１の照明領域１２１が矩形の凹部として形成されているとともに、第１の照明領域１２１に隣接する領域には、複数のキーボタン１０１が配置される第２の照明領域１２２が形成されている。照明装置１０では、第１の照明領域１２１の周囲のうち、第２の照明領域１２２が位置する側を除く外周端面を第１の反射材１５の側壁部分１５１，１５２、１５３が囲むようになっており、かつ、第１の照明領域１２１の下面には、第１の反射材１５が重なるようになっている。一方、第２の照明領域１２２には、シート状の第２の反射材１７が重ねられている。導光板１２００の上端部分には、ＬＥＤなどの光源１１を配置する凹部１２６が形成されている。なお、上ケース９の操作部３、導光板１２の第２の照明領域１２２、及び第２の反射材１７には、透光性を有するキーボタン１０１が配置されるボタン穴９０、１２０，１７０が形成されている。
【０００６】
このように構成した照明装置１０において、導光板１２００の上端部分に設けられた光源１１から出射された光は、導光板１２００に入射し、この導光板１２００に入射した光は、第１の照明領域１２１において液晶装置４００を下方から照明する。一方、第２の照明領域１２２に配置された光源から出射された光は、導光板１２００に入射し、この導光板１２００に入射した光は、第２の照明領域１２２において複数のキーボタン１０１を下方から照射する。
【０００７】
【発明が解決しようとする課題】
しかしながら、従来の照明装置１０においては、第１の照明領域１２１を照射するはずの光源からの光が第２の照明領域まで進み、第１の照明領域における輝度が低下するという問題があった。更に、光源が第１の照明領域１２１と第２の照明領域との間に配置される場合には、第２の照明領域への光漏れが顕著に表れ、第１の照明領域における輝度の低下が著しかった。
【０００８】
本発明は、上記事情に鑑みてなされたものであり、光利用効率が高い導光板、複数の照明領域を備えた照明装置、この照明装置を用いた電気光学装置及び電子機器を提供することを目的とする。
【０００９】
【課題を解決するための手段】
本発明の導光板は、隣り合う第１の照明領域と第２の照明領域とを有する導光板であって、前記導光板は、前記第１の照明領域と前記第２の照明領域との隣り合う部分に沿って延びた前記第１の照明領域側に位置した鏡面を有する側面を備えた穴を具備することを特徴とする。
【００１０】
本発明のこのような構成の導光板と第１の照明領域を照明する光源とを有する照明装置では、導光板の第１の照明領域と第２の照明領域との間に鏡面を有する側面を備えた穴が設けられているので、第１の照明領域から第２の照明領域に向かう光は、穴の側面によって反射し、第１の照明領域を照射するのに用いられるので、第１の照明領域内での光利用効率に優れ、輝度の高い照明装置を得ることができる。
【００１１】
本発明の他の導光板は、隣り合う第１の照明領域と第２の照明領域とを有する導光板であって、前記導光板は、前記第１の照明領域と前記第２の照明領域との隣り合う部分に沿って延びた溝を具備することを特徴とする。
【００１２】
また、前記溝は、前記第１の照明領域側に位置した鏡面を有する側面を備えた溝を具備することを特徴とする。
【００１３】
本発明のこのような構成の導光板と第１の照明領域を照明する光源とを有する照明装置では、導光板の第１の照明領域と第２の照明領域との間に溝を備えた溝が設けられているので、第１の照明領域から第２の照明領域に向かう光は、溝の側面によって反射し、第１の照明領域を照射するのに用いられるので、第１の照明領域内での光利用効率に優れ、輝度の高い照明装置を得ることができる。また、溝の側面は鏡面であることが望ましく、第１の照明領域から第２の照明領域に向かう光は、溝の側面によって確実に反射し、第１の照明領域を照射するのに用いられる。
【００１４】
また、前記導光板は、第１部材と、前記第１の照明領域の外周部のうち前記穴または溝が位置する部分を除く部分に沿って配置された前記第１部材よりも反射率の高い第２部材とからなることを特徴とする。
【００１５】
このような構成によれば、第２部材に向かって進む光は第２部材によって反射して第１の照明領域を照明する光として用いられるので、更に第１の照明領域内での光利用効率に優れ、輝度の高い照明装置を得ることができる。
【００１６】
また、前記第１の照明領域の導光板へ、前記第１の照明領域と前記第２の照明領域との間に配置される光源からの光が入射されることを特徴とする。
【００１７】
このように光源を第１の照明領域と第２の照明領域との間に設ける場合においても、第２部材により囲まれた領域に光源を配置することにより、第１の照明領域から第２の照明領域への光漏れを防止することができ、第１の照明領域の輝度を向上することができる。
【００１８】
本発明の照明装置は、上述に記載の導光板と、前記導光板の前記第１の照明領域に光を入射する光源部とを有することを特徴とする。
【００１９】
本発明のこのような構成によれば、光源からの光利用効率に優れた輝度の高い照明装置を得ることができる。
【００２０】
また、前記光源部は、前記第１の照明領域と前記第２の照明領域との間に設けられていることを特徴とする。
【００２１】
このように光源を第１の照明領域と第２の照明領域との間に設けることができる。
【００２２】
本発明の電気光学装置は、上述に記載の照明装置と、前記第１の照明領域に対応して配置された前記光源からの光によって所定の表示を行う電気光学パネルと、を具備することを特徴とする。
【００２３】
本発明のこのような構成によれば、輝度の高い照明装置を用いているので、表示品位の高い表示部を有する電気光学装置を得ることができる。
【００２４】
本発明の電子機器は、上述に記載の電気光学装置と、前記第２の照明領域に対応して配置された複数のキーボタンとを具備することを特徴とする。
【００２５】
本発明のこのような構成によれば、輝度の高い照明装置を用いているので、表示品位の高い表示部とキーボタン部とを有する電子機器を得ることができる。また、キーボタンが透光性を有し、導光板の前記第２の照明領域にキーボタンが配置されるボタン穴を形成することにより、キーボタン部が発光する電子機器を得ることができる。
【００２６】
また、前記電子機器は携帯電話機であることを特徴とする。
【００２７】
このように表示部及びキーボタン部を有する電子機器として携帯電話機に適用することができる。
【００２８】
本発明の他の電子機器は、上述に記載の電気光学装置と、前記第２の照明領域に対応して配置されたパネルとを具備することを特徴とする。
【００２９】
本発明のこのような構成によれば、輝度の高い照明装置を用いているので、表示品位の高い表示部及びパネル部を有する電子機器を得ることができる。
【００３０】
また、前記パネルは、入力用パネルであることを特徴とする。
【００３１】
このように、第２の照明領域に対応する部分にタッチパネルのような入力用パネルを配置することができ、表示部と入力用パネルとを有する電子機器を得ることができる。
【００３２】
【発明の実施の形態】
以下に、本発明が適用された電子機器の一例である携帯電話機について図１及び図２を用いて説明する。尚、本形態の照明装置及び電子機器の基本的な構成は、従来のものと共通するので、共通する部分には同一の符号を付して説明する。
【００３３】
図１は、本発明が適用された電子機器の一例である携帯電話機の外観を示す斜視図である。図２はこの携帯電話機の要部の構成を示す分解斜視図である。
【００３４】
図１において、携帯電話機１には、その上半部分に、電気光学パネルとしての液晶パネル４００を用いた表示部２が構成され、下半分には、複数のキーボタン１０１が配置された操作部３が構成されている。表示部２の上方位置にはスピーカ穴４が形成され、操作部の下方位置にはマイク穴５が形成されている。
【００３５】
図２に示すように、携帯電話機１は、下ケース６、この携帯電話機１の全ての機能を担う各種の電気回路が形成された回路基板７、照明装置１０、光拡散シート８、電気光学パネルとしての各種の表示を行う液晶パネル４００、および上ケース９がこの順に重ねられた構成になっている。なお、図２には、スピーカあるいはマイクなどの図示を省略してある。また、電気光学装置の一例としての液晶装置は、液晶パネル４００と照明装置１０とから構成される。
【００３６】
次に、液晶パネル４００の構成について、図３〜図５を用いて説明する。
【００３７】
図３及び図４はそれぞれ、液晶パネル４００の斜視図及び分解斜視図である。図５は、液晶パネル４００を図３の線Ｉ−Ｉ´で切断したときのＩ´側の端部の断面図である。
【００３８】
図３及び図４において、液晶パネル４００は、例えばパッシブマトリクス型のカラー液晶パネルであり、所定の間隙を介してシール材４３０によって貼りあわされた矩形のガラスなどからなる一対の透明基板間にシール材４３０によって液晶封入領域４３５が区画されているとともに、この液晶封入領域４３５内に電気光学物質としての液晶４０４が封入されている。ここでは、前記一対の透明基板のうち、液晶封入領域４３５内で縦方向に延びる複数列の第１の電極パターン４４０が形成されている方の基板を第１の透明基板４１０とし、液晶封入領域４３５内で横方向に延びる複数列の第２の電極パターン４５０が形成されている方の基板を第２の透明基板４２０とする。
【００３９】
ここに示す液晶装置４００は透過型であり、図２に示す照明装置１０をバックライトとして所定の表示を行う。このため、第２の透明基板４２０の外側表面には偏光板４６１が貼られ、第１の透明基板４１０の外側表面には偏光板４６２が貼られている。
【００４０】
図５に示すように、第２の透明基板４２０には、第１の電極パターン４４０と第２の電極パターン４５０との交点に相当する領域に、赤（Ｒ）、緑（Ｇ）、青（Ｂ）のカラーフィルタ４０７Ｒ、４０７Ｇ、４０７Ｂの表面側に絶縁性の平坦化膜４２６、第２の電極パターン４５０、および配向膜４２２がこの順に形成されている。これに対して、第１の透明基板４１０には、第１の電極パターン４４０及び配向膜４１２がこの順に形成されている。この液晶パネル４００において、第１の電極パターン４４０及び第２の電極パターン４５０は、いずれもＩＴＯ膜（Ｉｎｄｉｕｍ　Ｔｉｎ　Ｏｘｉｄｅ／透明導電膜）によって形成されている。
【００４１】
このように構成した液晶パネル４００では、第１の透明基板４１０の側から入射した光は、第２の透明基板４２０の側から出射され、その間に液晶４０４による光変調が行われる。
【００４２】
再び、図３及び図４において、液晶パネル４００では、外部から信号入力及び基板間の導通のいずれを行うにも、第１の透明基板４１０及び第２の透明基板４２０の同一方向に位置する各基板辺４１８，４２８付近において第１の透明基板４１０及び第２の透明基板４２０のそれぞれに形成されている第１の端子形成領域４１１及び第２の端子形成領域４２１が用いられる。ここで、第２の透明基板４２０としては、第１の透明基板４１０よりも大きな基板が用いられ、第１の透明基板４１０と第２の透明基板４２０とを貼り合わせたときに第１の透明基板４１０の基板辺４１８から第２の透明基板４２０が張り出す部分４２５に形成されている各端子をラバーコネクタあるいはフレキシブル基板を介して回路基板７（図２参照）に電気的に接続する。
【００４３】
このため、第２の透明基板４２０において、第２の端子形成領域４２１は、基板辺４２８に近い部分が第１の透明基板４１０から張り出した部分４２５に形成され、この基板辺４２８に近い端子領域部分の表面は開放状態にある。これに対して、第２の透明基板４２０において、第２の端子形成領域４２１の液晶封入領域４３５の側に位置する部分は、第１の透明基板４１０の側との基板間導通用に用いられるので、第２の端子形成領域４２１のうち、液晶封入領域４３５の側に位置する部分は、第１の透明基板４１０との重なり部分に形成されている。
【００４４】
また、第１の透明基板４１０において、第１の端子形成領域４１１は、第２の透明基板４２０の側との基板間導通に用いられるので、第２の透明基板４２０の側との基板間導通に用いられるので、第２の透明基板４２０との重なり部分について形成されている。
【００４５】
従って、第１の透明基板４１０と第２の透明基板４２０とを導通材を含有するシール材４３０で貼り合わせて基板間で基板間導通用端子同士を導通させた状態で、第２の透明基板４２０の第２の端子形成領域４２１を介して回路基板７から信号入力すれば、第１の電極パターン４４０および第２の電極パターン４５０に所定の電圧を印加できるので、第１の電極パターン４４０と第２の電極パターン４５０との交点に相当するが素を各々駆動することができる。
【００４６】
次に照明装置１０について説明する。
【００４７】
図２に示すように、照明装置１０は、ＬＥＤなどからなる光源１１、導光板１２（１０１２，１１１２）、プラスチック成形品などからなる第１の反射材１５、およびシート状の第２の反射材１７から構成されている。
【００４８】
照明装置１０において、導光板１２（１０１２，１１１２）には、液晶パネル４００が配置される第１の照明領域１２１が矩形の凹部として形成されているとともに、第１の照明領域１２１に隣り合う領域には、複数のキーボタン１０１が配置される第２の照明領域１２２が形成されている。導光板１２の第１の照明領域１２１と第２の照明領域１２２との間には例えば２箇所、第２の照明領域１２２のほぼ中央部には例えば１箇所、ＬＥＤなどからなる光源１１をそれぞれ配置する凹部１２６が形成されている。導光板１２（１０１２，１１１２、１３１２）の液晶パネル４００が配置される凹部では、底壁１２４の先端側の隅部分に、液晶パネル４００と回路基板７とをフレキシブル基板やラバーコネクタなどを介して電気的に接続するための矩形の貫通穴１２５が形成されている。尚、第２の照明領域１２２における凹部１２６内に設けられる光源１１の図示を省略している。
【００４９】
第１の反射材１５は、導光板１２（１０１２，１１１２）の矩形の第１の照明領域１２１の四周のうち、第２の照明領域１２２が位置する側を除く導光板１２（１０１２，１１１２）の三方の外周端面を囲む３つの側壁部分１５１、１５２、１５３と、第１の照明領域１２１の下面に重ねられる底壁部分１５４とを有している。第１の反射材１５の底壁部分１５４にも、導光板１２の貫通穴１２５と重なる位置に矩形の貫通穴１５５が形成されている。
【００５０】
本形態においては、第１の反射材１５は、全体が白色のプラスチック成形品から構成されていることにより、側壁部分１５１、１５２、１５３及び底壁部分１５４が反射面として形成されている。あるいは、第１の反射材１５において、側壁部分１５１、１５２、１５３及び底壁部分１５４に反射性を有する塗料を塗布、あるいは反射シート貼り付けることにより、これらの面を反射面とすることができる。
【００５１】
一方、第２の照明領域１２２には、第１の反射材１５とは別体のシート状の第２の反射材１７が重ねられている。
【００５２】
上ケース９の操作部３、導光板１２（１０１２，１１１２）の第２の照明領域１２２、及びシート状の第２の反射材１７には、透光性を有するキーボタン１０１が配置されるボタン穴９０、１２０，１７０が互いに重なる位置に形成され、これらの複数のボタン穴９０、１２０、１７０の内部にキーボタン１０１がそれぞれ配置される。
【００５３】
次に、上述の導光板１２（１０１２，１１１２）の詳細な構造について説明する。
【００５４】
（第１実施形態）
第１実施形態の導光板１２について、図６〜図８を用いて説明する。
【００５５】
図６は、導光板１２の構造を説明する概略図であり、図６（Ａ）は導光板１２の平面図、図６（Ｂ）は図６（Ａ）の導光板１２の線６Ｂ−６Ｂ´で切断した断面図、図６（Ｃ）は図６（Ａ）の導光板１２の線６Ｃ−６Ｃ´で切断した断面図である。尚、図２に示す貫通穴１２５の図示をこれらの図では省略している。図７は、携帯電話機１としたときの、導光板１２、液晶パネル４００、反射材１７、反射材１５（図７においては反射材１５の側壁部分１５２と底壁部分１５４が図示される）及び回路基板７との位置関係を示す図である。図８は、第１の照明領域における光源からの光の動きを示す図である。
【００５６】
図６及び図７に示すように、導光板１２は、液晶パネル４００が配置される第１の照明領域１２１部分が矩形の凹部として形成されているとともに、第１の照明領域１２１に隣り合う領域には、複数のキーボタン１０１が配置される第２の照明領域１２２が形成されている。導光板１２の第１の照明領域１２１と第２の照明領域１２２との間であって、第１の照明領域１２１側には例えば２箇所、第２の照明領域１２２のほぼ中央部には例えば１箇所、ＬＥＤなどからなる光源１１をそれぞれ配置する凹部１２６が形成されている。更に、第１の照明領域１２１と第２の照明領域１２２との間には、第１の照明領域１２１と第２の照明領域１２２との隣り合った部分に沿って延びた穴としてスリット部１２３が設けられている。スリット部１２３は、第１の照明領域１２１側に位置した側面１２３ａを有し、この側面１２３ａは鏡面を有している。第１の照明領域１２１を照明するのに用いられる光源１１は、第１の照明領域１２１とスリット部１２３との間に配置される。
【００５７】
次に、本実施形態における導光板１２を用いた携帯電話機１における光源１１から出射される光の動きの一部について図８を用いて説明する。図８において、実線で図示した矢印が光の向きを示し、図８（Ａ）は導光板１２の第１の照明領域１２１に対応する部分断面図、図８（Ｂ）はその平面図である。図８に示すように、第１の照明領域１２１において、光源１１から出射された光は、導光板１２に入射し、反射材１５の側壁部分１５１、１５２、１５３及び底壁部分１５４で反射しながら第１の照明領域１２１に配置された液晶パネル４００を照明する。また、第１の照明領域１２１から第２の照明領域１２２に向かう光（図示）は、第２の照明領域１２２と隣り合う部分に沿って位置するスリット部１２３によって第１の照明領域１２１に向けて反射して液晶パネル４００に入射する。このように、本実施形態においては、第１の照明領域１２１側に位置する側面１２３ａが鏡面を有するスリット部１２３を設けることにより、第１の照明領域１２１から第２の照明領域１２２に向かう光は、スリット部１２３の側面１２３ａによって反射し、液晶パネル４００を照射するのに用いられる。一方、図示を省略しているが、第２の照明領域１２２においては、第２の照明領域１２２に配置された光源１１から出射された光は導光板１０１２に入射し、光源１１を中心にして放射状に外側に向かって進んできた光は、キーボタン１０１の側面から入射してキーボタン１０１を照明する。
【００５８】
以上のように本実施形態の照明装置においては、鏡面を有する側面１２３ａを備えたスリット部１２３を設けることにより、第１の照明領域から第２の照明領域に進む光を遮断し、側面１２３ａで反射させて液晶パネル４００を照明する光として用いるので、液晶パネル４００への光入射率が向上し、光利用効率に優れている。従って、このような照明装置を用いることにより、高い輝度を有する表示品位の高い携帯電話機を得ることができる。
【００５９】
（第２実施形態）
次に、第２実施形態の導光板１０１２について、図９及び図１０を用いて説明する。第１実施形態においてはスリット部を設けたが、本実施形態においてはスリット部のかわりに溝を設けた点で異なる。
【００６０】
図９は、導光板１０１２の構造を説明する概略図であり、図９（Ａ）は導光板１０１２の平面図、図９（Ｂ）は図９（Ａ）の導光板１０１２の線９Ｂ−９Ｂ´で切断した断面図、図９（Ｃ）は図９（Ａ）の導光板１０１２の線９Ｃ−９Ｃ´で切断した断面図である。図１０は、光源から出射され、導光板１２に入射した光の流れを示す。
【００６１】
図９に示すように、導光板１０１２は、液晶パネル４００が配置される第１の照明領域１２１部分が矩形の凹部として形成されているとともに、第１の照明領域１２１に隣り合う領域には、複数のキーボタン１０１が配置される第２の照明領域１２２が形成されている。導光板１０１２の第１の照明領域１２１と第２の照明領域１２２との間であって、第１の照明領域１２１側には例えば２箇所、第２の照明領域１２２のほぼ中央部には例えば１箇所、ＬＥＤなどからなる光源１１をそれぞれ配置する凹部１２６が形成されている。更に、第１の照明領域１２１と第２の照明領域１２２との間には、第１の照明領域１２１と第２の照明領域１２２との隣り合った部分に沿って延びた溝１１２３が設けられている。溝１１２３は、第１の照明領域１２１側に位置した側面１１２３ａを有し、この側面１１２３ａは鏡面を有している。第１の照明領域１２１を照明するのに用いられる光源１１は、第１の照明領域１２１とスリット部１２３との間に配置される。
【００６２】
次に、本実施形態における導光板１０１２を用いた携帯電話機１における光源１１から出射される光の動きの一部について図１０を用いて説明する。図１０において、実線で図示した矢印が光の向きを示し、図１０（Ａ）は導光板１０１２の第１の照明領域１２１に対応する部分断面図、図１０８（Ｂ）はその平面図である。図１０に示すように、第１の照明領域１２１において、光源１１から出射された光は、導光板１０１２に入射し、反射材１５の側壁部分１５１、１５２、１５３及び底壁部分１５４で反射しながら第１の照明領域１２１に配置された液晶パネル４００を照明する。また、第１の照明領域１２１から第２の照明領域１２２に向かう光（図示）のうち、一部は、第２の照明領域１２２と隣り合う部分に沿って位置する溝１１２３によって第１の照明領域１２１に向けて反射して液晶パネル４００に入射し、残りの光は、第２の照明領域１２２に向かって進む。このように、本実施形態においては、第１の照明領域１２１側に位置する側面１１２３ａが鏡面を有する溝１１２３を設けることにより、第１の照明領域１２１から第２の照明領域１２２に向かう光の一部は、溝１１２３の側面１１２３ａによって反射し、液晶パネル４００を照射するのに用いられる。また、残りの光は、第１の照明領域１２１から第２の照明領域１２２に向かって進んで、第２の照明領域１２２においてキーボタン１０１を照明する。従って、本形態によれば、共通の光源１１で、第１の照明領域１２１に配置される液晶パネル４００を照明できるとともに、第２の照明領域１２２のキーボタン１０１も照明できる。それゆえ、本実施形態に示すように、キーボタン１０１を照明するだけの光源１１を設けるとしても、この光源については、光量が少なくてすむ分、消費電力の小さなものを用いることができる。あるいは、キーボタン１０１を照明するだけの光源（本実施形態における第２の照明領域１２２に配置される光源１１）を省略することも可能である。一方、図示を省略しているが、第２の照明領域１２２においては、第２の照明領域１２２に配置された光源１１から出射された光は導光板１０１２に入射し、光源１１を中心にして放射状に外側に向かって進んできた光は、キーボタン１０１の側面から入射してキーボタン１０１を照明する。
【００６３】
以上のように本実施形態の照明装置においては、鏡面を有する側面１１２３ａを備えた溝１１２３を設けることにより、第１の照明領域１２１から第２の照明領域１２２に進む光の一部を側面１１２３ａで反射させて液晶パネル４００を照明する光として用いるので、液晶パネル４００への光入射率が向上し、光利用効率に優れ、かつ第２の照明領域１２２の照明も可能とすることができる。従って、このような照明装置を用いることにより、高い輝度を有する表示品位の高い携帯電話機を得ることができる。
【００６４】
尚、溝１１２３の深さ、言い換えれば、溝１１２３の側面１１２３ａの面積を変えることにより、第１の照明領域１２１及び第２の照明領域１２２の照明量を調整することができる。
【００６５】
（第３実施形態）
次に、第３実施形態の導光板１１１２について、図１１及び図１２を用いて説明する。本実施形態においては、第１実施形態に図示する構造に加え、第１の照明領域の一部を囲うように反射率の高い部材を設けている。
【００６６】
図１１は、導光板１１１２の構造を説明する概略図であり、図１１（Ａ）は導光板１１１２の平面図、図１１（Ｂ）は図１１（Ａ）の導光板１１１２の線１２Ｂ−１２Ｂ´で切断した断面図、図１１（Ｃ）は図１２（Ａ）の導光板１１１２の線１２Ｃ−１２Ｃ´で切断した断面図である。尚、図２に示す貫通穴１２５の図示をこれらの図では省略している。図１２は、光源から出射され、導光板１１１２に入射した光の動きを示す。
【００６７】
図１１に示すように、導光板１１１２は、液晶パネル４００が配置される第１の照明領域１２１部分が矩形の凹部として形成されているとともに、第１の照明領域１２１に隣り合う領域には、複数のキーボタン１０１が配置される第２の照明領域１２２が形成されている。導光板１１１２の第１の照明領域１２１と第２の照明領域１２２との間であって第１の照明領域１２１側に例えば２箇所、第２の照明領域１２２のほぼ中央部に例えば１箇所、ＬＥＤなどからなる光源１１をそれぞれ配置する凹部１２６が形成されている。更に、第１の照明領域１２１と第２の照明領域１２２との間には、第１の照明領域１２１と第２の照明領域１２２との隣り合った部分に沿って延びた穴としてスリット部２１２３が設けられている。スリット部２１２３は、第１の照明領域１２１側に位置した側面２１２３ａを有し、この側面２１２３ａは鏡面を有している。第１の照明領域１２１を照明するのに用いられる光源１１は、第１の照明領域１２１とスリット部２１２３との間に配置される。
【００６８】
また、図１１に示すように、導光板１１１２は、反射率の異なる第１部材１２７及び第２部材１２５の２種類の部材を用いて、例えば二色成形法により製造される。第２部材１２５は第１部材１２７よりも反射率が高い。図１１（Ｂ）（Ｃ）において第１部材１２７は、右上がりの斜め斜線で埋められた部分であり、第２部材１２５は、右下がりの斜め斜線で埋められた部分である。図１１（Ａ）において、第２部材１２５は右下がりの斜め斜線で埋められた部分である。第１部材１２７は透明の例えばポリカーボネート樹脂またはアクリル樹脂からなり、第２部材１２５は白色の例えばポリカーボネート樹脂またはアクリル樹脂からなる。図１１に示すように、第２部材１２５は、第１の照明領域１２１と第２の照明領域１２２との間にこれら２つの照明領域が隣り合う部分に沿って２つ間隙部２１２６をおいて配置されている。
【００６９】
次に、本実施形態における導光板１１１２を用いた携帯電話機１における光源１１から出射される光の向きについて図１２を用いて説明する。図１２において、実線で図示した矢印が光の向きを示し、図１２（Ａ）は導光板１１１２の第１の照明領域１２１に対応する部分断面図、図１２（Ｂ）はその平面図である。図１２に示すように、第１の照明領域１２１において、第２部材２１２５と第１の照射領域１２１との間に配置された光源１１から出射された光は導光板１１１２に入射し、第２部材１２５及び反射材１５の底壁部分１５４で反射しながら第１の照明領域１２１に配置された液晶パネル４００を照明する。また、第１の照明領域１２１から第２の照明領域１２２に向かう光は、また、第１の照明領域１２１から第２の照明領域１２２に向かう光（図示）は、第２の照明領域１２２と隣り合う部分に沿って位置するスリット部２１２３によって第１の照明領域１２１に向けて反射して液晶パネル４００に入射する。このように、本実施形態においては、第１の照明領域１２１側に位置する側面２１２３ａが鏡面を有するスリット部２１２３を設けることにより、第１の照明領域１２１から第２の照明領域１２２に向かう光は、スリット部２１２３の側面２１２３ａによって反射し、液晶パネル４００を照射するのに用いられる。一方、図示を省略しているが、第２の照明領域１２２においては、第２の照明領域１２２に配置された光源１１から出射された光は導光板１０１２に入射し、光源１１を中心にして放射状に外側に向かって進んできた光は、キーボタン１０１の側面から入射してキーボタン１０１を照明する。
【００７０】
以上のように本実施形態の照明装置においては、鏡面を有する側面２１２３ａを備えたスリット部２１２３を設けることにより、第１の照明領域から第２の照明領域に進む光を遮断し、側面２１２３ａで反射させて液晶パネル４００を照明する光として用いるので、液晶パネル４００への光入射率が向上し、光利用効率に優れている。更に、第１の照明領域１２１の外周部のうちスリット部２１２３が位置する部分を除く部分に沿って反射率の高い第２部材２１２５を設けることにより、光源１１から出射し第２部材２１２５に向かって進む光は、第２部材２１２５によって反射し液晶パネル４００を照射するのに用いられるため、液晶パネル４００への光入射率が向上し、光利用効率に優れている。従って、このような照明装置を用いることにより、高い輝度を有する表示品位の高い携帯電話機を得ることができる。
【００７１】
尚、本実施形態において、スリット部のかわりに第２実施形態で示すような溝を設けても、同様の効果を得ることができるのは言うまでない。
【００７２】
本発明は、上述した構造に限定されるものでなく、種々変形が可能である。
【００７３】
また、上述した実施形態では、電気光学パネルとして液晶パネルに適用した場合について説明したが、本発明はこれに限定されず、電気泳動式のパネルなどに適用できる。
【００７４】
また、上述した実施形態では、電子機器として携帯電話機に適用した場合について説明したが、複数の表示領域を有する電子機器に適用することができ、例えば複数の液晶パネルを具備し各パネルを照明するのに用いられる導光板が一体形成されている電子機器や、表示領域と入力領域とを備えたタッチパネルを備えた機器に適用することができる。以下に、図１３を用いてタッチパネルを備えた機器について説明する。
【００７５】
図１３は液晶装置が搭載されたタッチパネルを備えた機器３１４である。タッチパネルを備えた機器３１４は、液晶装置４７０を搭載しており、液晶装置４７０の一部を構成する液晶パネルにより表示が行われる液晶表示領域３１４ａと、図面上この液晶表示領域３１４ａの下部に位置する入力用シート３１４ｂが配置された第１入力領域３１４ｃとを有している。液晶装置４７０は矩形状の液晶パネルと矩形状の入力用パネルとしてのタッチパネルとが平面的に重なり合う構造を有しており、タッチパネルが液晶パネルよりも大きく、タッチパネルは液晶パネルの一端部から突き出した形状となっている。
【００７６】
液晶表示領域３１４ａ及び第１入力領域３１４ｃにはタッチパネルが配置されており、液晶表示領域３１４ａに対応する領域も、第１入力領域３１４ｃと同様に入力操作可能な第２入力領域３１４ｄとして機能する。タッチパネルは、液晶パネル側に位置する第２面とこれと対向する第１面とを有しており、第１面の第１入力領域３１４ｃに相当する位置には入力用シート３１４ｂが貼られている。入力用シート３１４ｂにはアイコン３１４ｅ及び手書き文字認識領域３１４ｆを識別するための枠が印刷されており、第１入力領域３１４ｃにおいては、アイコン３１４ｅの選択や手書き文字認識領域３１４ｆでの文字入力を、入力用シート３１４ｂを介してタッチパネルの第１面を指やペンなどの入力手段で荷重をかけることにより行い、データ入力などを実施することができる。一方、第２入力領域３１４ｄにおいては、液晶パネルの像を観察することができるほか、後述する液晶パネルに例えばモードを表示させ、この表示されるモードの選択をタッチパネルの第１面を指やペンで荷重をかけることによってデータ入力などを実施することができる。
【００７７】
液晶表示領域３１４ａ及び第１入力領域３１４ｃは、いずれも図示しない照明装置から照明される。照明装置は、上述の携帯電話機で説明した導光板１２と同様に、第１の照明領域と第２の照明領域を有する導光板と、各照明領域を照明する光源とを有している。第１の照明領域は液晶表示領域３１４ａを照明するものであり、第２の照明領域は第１入力領域３１４ｃを照明するものである。例えば、導光板は、上述の第１実施形態のように、第１の照明領域と第２の照明領域との間にスリット部が設けられている。このような構造とすることにより、第１の照明領域の輝度を向上させることができ、表示品位の高いタッチパネルを供えた機器を得ることができる。
【図面の簡単な説明】
【図１】本発明の電子機器としての携帯電話機の外観を示す斜視図である。
【図２】図１に示す携帯電話機の要部の構成を示す分解斜視図である。
【図３】図１に示す携帯電話機の一部を構成する液晶パネルの斜視図である。
【図４】図１に示す携帯電話機の一部を構成する液晶パネルの分解斜視図である。
【図５】液晶パネルを図３の線Ｉ−Ｉ´で切断したときのＩ´側の端部の断面図である。
【図６】本発明の第１実施形態に係る導光板の構造を説明する概略図であり、図６（Ａ）は導光板の平面図、図６（Ｂ）は図６（Ａ）の導光板の線６Ｂ−６Ｂ´で切断した断面図、図６（Ｃ）は図６（Ａ）の導光板の線６Ｃ−６Ｃ´で切断した断面図である。
【図７】携帯電話機としたときの、第１実施形態に係る導光板、液晶パネル、反射材、反射材及び回路基板との位置関係を示す図である。
【図８】本発明の第１実施形態に係る導光板における光源から出射され、導光板に入射した光の流れを示す図である。
【図９】本発明の第２実施形態に係る導光板の構造を説明する概略図であり、図９（Ａ）は導光板の平面図、図９（Ｂ）は図９（Ａ）の導光板の線９Ｂ−９Ｂ´で切断した断面図、図９（Ｃ）は図９（Ａ）の導光板の線９Ｃ−９Ｃ´で切断した断面図である。
【図１０】本発明の第２実施形態に係る導光板における光源から出射され、導光板に入射した光の流れを示す図である。
【図１１】本発明の第３実施形態に係る導光板の構造を説明する概略図であり、図１１（Ａ）は導光板の平面図、図１１（Ｂ）は図１１（Ａ）の導光板の線１１Ｂ−１１Ｂ´で切断した断面図、図１１（Ｃ）は図１１（Ａ）の導光板の線１１Ｃ−１１Ｃ´で切断した断面図である。
【図１２】本発明の第３実施形態に係る導光板における光源から出射され、導光板に入射した光の流れを示す図である。
【図１３】本発明の他の電子機器に係るタッチパネルを供えた機器の斜視図である。
【図１４】従来の携帯電話機を説明する図である。
【符号の説明】
１…携帯電話機
１０…照明装置
１１…光源
１２，１０１２、１１１２…導光板
１０１…キーボタン
１２１…第１の照明領域
１２２…第２の照明領域
１２３、２１２３…スリット部
１２３ａ、１１２３ａ、２１２３ａ…鏡面を有する側面
１２５…第２部材
１２７…第１部材
３１４…タッチパネルを供えた機器
４００…液晶パネル
１１２３…溝
【図１】
2004071223.tif 000003
【図２】
2004071223.tif 000004
【図３】
2004071223.tif 000005
【図４】
2004071223.tif 000006
【図５】
2004071223.tif 000007
【図６】
2004071223.tif 000008
【図７】
2004071223.tif 000009
【図８】
2004071223.tif 000010
【図９】
2004071223.tif 000011
【図１０】
2004071223.tif 000012
【図１１】
2004071223.tif 000013
【図１２】
2004071223.tif 000014
【図１３】
2004071223.tif 000015
【図１４】
2004071223.tif 000016